(57)【要約】      （修正有）【課題】任意の角度をフック部分で保持出来るとともに、支持棒等の物干竿からハンガーが外れることを防止する機能を簡単な構造で実現する角度付きハンガーを提供する。【解決手段】物干竿にフック部分を引掛けて服等の衣類を吊るすハンガーのフック部分をハンガー本体よりも広幅形状にすると共にハンガー本体部分に対し一定の角度を持って一体形成した。形成角度は、物干竿に吊下げた時、物干竿に対して１６°〜３６°となるように構成した。また、ハンガー本体とフック部分との間には、下部ベロフック５を設け、フック部分の角度を下方より保持できるようにした。バスタオル、スカート等の幅の広い洗濯物等も干せ、洗濯物が周囲の壁や手すりに接触することのない。【選択図】図１
0003213876.tif 000002
【実用新案登録請求の範囲】
【請求項１】
物干竿にハンガー本体上部のフック部分を引掛けて服等の衣類を吊るすハンガーにおいて、該フック部分をハンガー本体よりも広幅形状にすると共にハンガー本体部分に対し一定の角度を持って一体形成したことを特徴とする角度付きハンガー。
【請求項２】
前記フック部分に形成する角度は、物干竿に吊下げた時、物干竿に対して１６°〜３６°の角度を付けて吊設できるよう構成したことを特徴とする請求項１記載の角度付きハンガー。
【請求項３】
ハンガー本体と前記フック部分との間には、下部ベロフックを設け、フック部分の角度を下方より保持できるようなしたことを特徴とする請求項１および請求項２記載の角度付きハンガー。 
【考案の詳細な説明】
【技術分野】
【０００１】
本発明は、一般家庭や賃貸住宅等での物干し竿に掛けるハンガー形状に関する。
【背景技術】
【０００２】
従来の洗濯物の物干しハンガー形状は、フック部およびハンガー部をプラスチック成型にて一体的に構成したものであり、物干し竿に対してハンガー部を直角に吊り下げて使用するものである。
【０００３】
先行技術文献として提示した特許文献１は、ハンガーや物干し具が風にあおられて洗濯物が互いに密着して乾燥を遅くしたり、吊るした場所から移動したり、物干し竿から外れないようにフック部を改良し物干し竿への挟持を簡単で確実にしたものである。
【０００４】
又、特許文献２には、吊具本体を地面に対して高位置と低位置に連結体を介して切替えでき、地面に対して高い位置で衣類を干すことができ、低い位置で楽に取外すことができるようにハンガーのフック部とハンガー部を別体に構成したものである。
【先行技術文献】
【特許文献】
【０００５】
【特許文献１】特開２００６−１８１３０１号公報
【特許文献２】特開２０１３−１２１４９２号公報
【考案の概要】
【考案が解決しようとする課題】
【０００６】
一般的な家庭や賃貸住宅は、軒先が短く狭い為、洗濯物干し場やベランダ等で物干し竿にハンガーを吊下げた際、洗濯した衣類同士が絡まる場合、周囲の壁やベランダの手すり等に接触して洗濯物が汚れる場合等の問題があった。
【０００７】
そこで、先行技術文献（特許文献１・２）のように、フック部とハンガー部を別体にして回動固定自在とした物はあるが、フック部分とハンガー部を一体固定して物干し竿に対し任意の角度を保持し、物干し竿からハンガーが外れないように工夫すると共に洗濯物干し場のスペースを有効利用した。
【課題を解決するための手段】
【０００８】
ハンガー本体上部のフック部分をハンガー本体よりも広幅形状にすると共に物干竿に洗濯物を吊下げた時、フック部分に形成する角度が物干竿に対して１６〜３６°角度を付け、ねじれ部分を有して保持できるようにハンガー本体部分に対し角度を持って一体的に構成する。
又、ハンガー本体と前記フック部分との間には、下部ベロフックを設け、フック部分の角度を確実に保持し物干し竿からハンガーが外れないように工夫したハンガーである。 
【考案の効果】
【０００９】
フック部分を広幅形状にすることにより風等によるガタ付きもなく角度を持ってハンガー本体部分を確実に保持でき、ハンガー同士が密着する事が無い為洗濯衣類の乾きが早くまた、バスタオルやスカート等の幅の広い洗濯物を干すことができる。かつ手摺や壁等の周りに接触することが無い為衣類等が汚れない。
又、広幅形状のフック部分とその下部に下部ベロフックを設けることにより、より強固にハンガー本体部分を支えることができる。
【図面の簡単な説明】
【００１０】
【図１】本考案に係る物干用ハンガーの全体正面図
【図２】物干用ハンガーのフック基端部分とハンガー本体上端部の断面図
【図３】物干し竿を使用した洗濯物の物干ハンガー全体斜視図
【図４】物干竿にハンガーを掛けた状態を示す上面視図
【考案を実施するための形態】
【００１１】
図面に基づいて、この考案に係る洗濯物物干ハンガーについての最も良い形態を詳細に説明する。
【実施例１】
【００１２】
図１は、合成樹脂からなる素材で成形した上部幅広フック部分２はCの字型に湾曲した形で成型されている。合成樹脂からなる上部幅広フックの先端部分２aは丸みを持たせた形状となっておりフック部２はフック先端部２aまで同じ幅で同じ厚みに成型されている。
【００１３】
合成樹脂からなる素材で成型されている下部ベロフック５はフック部分２のCの字型に湾曲した部分の下部に成型されており下部ベロフック５の先端部５aは丸みをもたせた形状をしている。合成樹脂からなる下部ベロフック５は基端部から先端部５aにかけて極少し細く成型されており下部ベロフック５の先端部５aから下部ベロフック５の全体の３分の１の所に下部ベロフックつまみ部5bが成型されている。合成樹脂からなる素材で成型されているつまみ5bは下部ベロフック５に対して９０度の角度で成型されており、幅は下部ベロフックの幅と同じに成型されている。
合成樹脂からなる下部ベロフック５の下部にはフック基端部８を有しハンガー本体４の上端部と下部ベロフック５の下部の間にねじれ部分を構成しているフック基端部８は台形に成型されておりフック基端部８のねじれによりハンガー本体４に角度を保持させる様に構成、成型されている。
合成樹脂からなるフック基端部８の厚みは上部幅広フック２の厚みより極少し薄く成型されている。
【００１４】
合成樹脂からなるハンガー本体４にはハンガー本体物干部４aがハンガー本体連結部６によって連結成型されており物干竿１に対してハンガー本体物干部４aは、平行に備えられている。合成樹脂からなるハンガー本体物干部４aには薄手の洗濯物を容易に保持する為のクリップ７が備えられておりクリップ７は鉤型に成型されておりクリップ７の先端部は細く成型され、ハンガー本体物干部４aの上側に連結成型されている。合成樹脂からなるハンガー本体物干部４aのハンガー本体物干部端部４ｂには紐状の細い洗濯物や細い帯状の洗濯物を掛けられるように両端部が上方向に湾曲して成型されている。
【００１５】
図２は、合成樹脂からなる素材で成型された上部幅広フック２の断面図の形態を詳細に説明する。
合成樹脂からなる素材で成型されている上部幅広フック２はＣ型に湾曲しており、厚みを９ミリとし上部幅広フック端部２aは丸みを帯びた形状に成形されている。
【００１６】
合成樹脂からなる素材で成型されている上部幅広フック２の基端部に下部ベロフック５が成型されているが、下部ベロフック５の基端部の厚みは６ミリに成型されている。下部ベロフック５の先端部５aは厚みが３ミリに成型されている。
合成樹脂からなる素材で成型されている下部ベロフック５に備えられている下部ベロフックつまみ部５ｂの厚みは３ミリで成型されている。
合成樹脂からなる素材で成型されている上部幅広フック２の基端部とハンガー本体４の間に構成されているフック基端部８の厚みは８ミリに成型されている。
【００１７】
図３は、上記図１の実施例で詳細に説明した洗濯物干ハンガーの使用例を示した図面である。
物干竿１に対して上部幅広フック２が掛けられた状態を示しており下部ベロフック５は物干竿１に接触しており下部ベロフック５とハンガー本体４の間にあるフック基端部８のねじれ部分を有する事でハンガー本体４が物干竿１に対して任意の角度１６度から３６度を保持しており、バスタオル３が掛けられた様子である。
【００１８】
図４は、本発明に係るハンガーが掛かった状態を上側から見た状態を詳細に説明する。物干竿の中心を９で表している。ハンガー本体４の中心線を１０で表している。
上部幅広フック２の中心を１１で表しており上部幅広フック２は物干竿１の物干竿の中心９に対して９０度の角度でフックされている状態Ｃを示している。
ハンガー本体中心１０は物干竿１の物干竿中心９に対して任意の角度Ａが保持されている状態を示している図面で、Ａは任意の角度１６度から３６度の範囲で角度を保持している事を示している。45度では物干場のスペースの減少にあまり効果を満たさず、１０度では角度がきつ過ぎて使用に適さないと考えられ
16度〜３６度に任意の角度を設定している。また、太陽光が当たる時間と面積が従来のハンガーよりも優れている角度が１６度〜３６度と考えられる。16度〜36度の任意の角度を持たせることにより洗濯物の乾きも早くなると考えられる。
ハンガー本体中心１０は上部幅広フック中心１１に対して任意の角度５４度から７４度の角度Ｂを保持出来る状態を示している。
幅を持たせたフック部分を保持しフック部とハンガー本体端部との間にねじれ部と角度保持と外れ止め機能を有する衣類用ハンガーであり、以下図面に基づき詳細に説明します。
【符号の説明】
【００１９】
１  物干竿
２  上部幅広フック
２a 上部幅広フック端部
３  バスタオル
４  ハンガー本体
４a ハンガー本体物干部
５  下部ベロフック
５a 下部ベロフック先端部
５b 下部ベロフックつまみ部
６  ハンガー本体連結部
７  クリップ
８  フック基端部
９  支持棒中心
１０ハンガー本体中心
１１上部幅広フック中心
A   角度１６度・角度２６度・角度３６度
B   角度７４度・角度６４度・角度５４度
【図１】
0003213876.tif 000003
【図２】
0003213876.tif 000004
【図３】
0003213876.tif 000005
【図４】
0003213876.tif 000006